(57)【要約】【課題】  今まで以上にばね蝶番の組立を容易にし、さらなるコストの削減を図ることのできる眼鏡のばね蝶番を提供するものである。【解決手段】  テンプルの内部に挿入する芯金５に取り付けられる取付部４１及びこの取付部４１と一体に形成された弾発部４３を有するばね４と、このばね４を芯金５に取り付ける取付手段６と、芯金５をばね４を取り付ける部分に突設され、ばね４の弾発部４３に形成された切欠部又は貫通孔４３ａを挿通する連結部材５２と、智側に形成され、連結部材５２と連結される係合部２と、この係合部２及び連結部材５２を回動自在に連結する枢軸３と、係合部２又は前記智に形成され、前記テンプルを所定の展開状態からさらに拡開させる際に、弾発部４３と当接してばね４を弾性変形させる当接部２４を有する。【選択図】  図１
2005257785.tif 000002
【特許請求の範囲】
【請求項１】
テンプルを智に対して回動自在に連結するとともに、所定の展開状態からさらに前記テンプルを拡開させる際に、前記テンプルに一定の弾発力を付与する眼鏡のばね蝶番において、
前記テンプルの内部に挿入する芯金に取り付けられる取付部及びこの取付部と一体に形成された弾発部を有するばねと、
このばねを前記芯金に取り付ける取付手段と、
前記芯金の前記ばねを取り付ける部分に突設され、前記ばねの前記弾発部に形成された切欠部又は貫通孔を挿通する連結部材と、
前記智側に形成され、前記連結部材と連結される係合部と、
この係合部及び前記連結部材を回動自在に連結する枢軸と、
前記係合部又は前記智に形成され、前記テンプルを所定の展開状態からさらに拡開させる際に、前記弾発部と当接して前記ばねを弾性変形させる当接部と、
を有することを特徴とする眼鏡のばね蝶番。
【請求項２】
前記ばねが、前記取付部と前記弾発部とを折り返し部で一体的に形成した略Ｕ字状又は略Ｊ字状の板ばねであることを特徴とする請求項１に記載の眼鏡のばね蝶番。
【請求項３】
前記取付手段がボルトで、前記芯金に対して前記ばねを交換可能としたことを特徴とする請求項１又は２に記載の眼鏡のばね蝶番。
【請求項４】
前記ばねを、チタン合金材で形成したことを特徴とする請求項１〜３のいずれかに記載の眼鏡のばね蝶番。
【請求項５】
テンプルを智に対して回動自在に連結するとともに、所定の展開状態からさらに前記テンプルを拡開させる際に、前記テンプルに一定の弾発力を付与する眼鏡のばね蝶番の組立方法において、
弾発力を生じさせるばねの弾発部に、予め切欠部又は貫通孔を形成する工程と、
前記切欠部又は貫通孔を前記芯金に突設された連結部材に挿通させ、前記ばねを前記芯金上に配置する工程と、
前記ばねの取付部を前記芯金に取り付ける工程と、
前記ばねの弾発部を押圧して前記連結部材の先端を前記切欠部又は貫通孔から突出させ、前記智側の係合部材に前記連結部材の先端を係合させる工程と、
前記係合部材と前記連結部材とを枢軸で回動自在に連結する工程と、
を有することを特徴とする眼鏡のばね蝶番の組立方法。
【請求項６】
前記ばねの取付部をボルトで前記芯金に取り付け、前記ばねを前記芯金に対して交換可能としたことを特徴とする請求項５に記載の眼鏡のばね蝶番の組立方法。
【発明の詳細な説明】
【技術分野】
【０００１】
本発明は、智とテンプルとを連結する眼鏡の蝶番に関し、特に、テンプルを所定の展開状態さらに拡開させる際に、所定の弾発力を前記テンプルに付与するばね蝶番及びこのばね蝶番の組立方法に関する。
【背景技術】
【０００２】
眼鏡の掛け外しをスムースにするとともに、テンプルのフィット感を良好にするために、眼鏡の蝶番にばね性を持たせたばね蝶番が知られている。
このようなばね蝶番の改良については、機構の簡素化やコンパクト化等を目的として、従来から種々の提案がなされている（例えば、特許文献１，２，３参照）。
【特許文献１】特開２０００−１４７４３８号公報
【特許文献２】特開２００１−２９０１１０号公報
【特許文献３】特開２００３−１８５９８１号公報
【発明の開示】
【発明が解決しようとする課題】
【０００３】
これらの文献に記載のばね蝶番は、ばね蝶番の構成の簡素化やコンパクト化を図るという点で注目すべき提案であるが、いずれもテンプルにばね蝶番を取り付ける構造であり、易組立性という点でまだ改良の余地がある。
本発明は、上記の改良を試みるべくなされたもので、今までのばね蝶番よりも組立が容易で、さらなるコストの削減を図ることのできる眼鏡のばね蝶番及びその組立方法を提供しようとするものである。
【課題を解決するための手段】
【０００４】
本発明の目的を達成するために、本発明の発明者が鋭意研究を行って結果、テンプルに挿入する芯金にばね蝶番を取り付けることで、眼鏡の組立が容易になることに着眼し、本発明を想到した。
具体的に本発明は、テンプルを智に対して回動自在に連結するとともに、所定の展開状態からさらに前記テンプルを拡開させる際に、前記テンプルに一定の弾発力を付与する眼鏡のばね蝶番において、前記テンプルの内部に挿入する芯金に取り付けられる取付部及びこの取付部と一体に形成された弾発部を有するばねと、このばねを前記芯金に取り付ける取付手段と、前記芯金の前記ばねを取り付ける部分に突設され、前記ばねの前記弾発部に形成された切欠部又は貫通孔を挿通する連結部材と、前記智側に形成され、前記連結部材と連結される係合部と、この係合部及び前記連結部材を回動自在に連結する枢軸と、前記係合部又は前記智に形成され、前記テンプルを所定の展開状態からさらに拡開させる際に、前記弾発部と当接して前記ばねを弾性変形させる当接部とを有する構成としてある。
この場合、前記ばねは、前記取付部と前記弾発部とを折り返し部で一体的に形成した略Ｕ字状又は略Ｊ字状の板ばねとするとよい。
【０００５】
この構成によれば、前記テンプルを所定の展開状態からさらに拡開させると、芯金に取り付けられたばねの弾発部に智又は係合部材が当接してばねを弾性変形させる。これにより、テンプルに一定の弾発力が付与される。
また、前記取付手段をボルトとすることで、前記芯金に対する前記ばねの交換が可能となる。なお、ばねの材質としては、ステンレスやばね鋼等を用いることができるが、ばね性の高いニッケル−チタンやβチタン等のチタン合金を用いるのがよい。
【０００６】
上記構成の本発明のばね蝶番の組立方法は、テンプルを智に対して回動自在に連結するとともに、所定の展開状態からさらに前記テンプルを拡開させる際に、前記テンプルに一定の弾発力を付与する眼鏡のばね蝶番の組立方法において、弾発力を生じさせるばねの弾発部に、予め切欠部又は貫通孔を形成する工程と、前記切欠部又は貫通孔を前記芯金に突設された連結部材に挿通させ、前記ばねを前記芯金上に配置する工程と、前記ばねの取付部を前記芯金に取り付ける工程と、前記ばねの弾発部を押圧して前記連結部材の先端を前記切欠部又は貫通孔から突出させ、前記智側の係合部材に前記連結部材の先端を係合させる工程と、前記係合部材と前記連結部材とを枢軸で回動自在に連結する工程とを有する方法である。
【０００７】
なお、前記ばねの取付部を前記芯金に取り付ける工程は、前記係合部材と前記連結部材とを枢軸で回動自在に連結する工程の後であってもよい。
この場合、前記ばねの取付部をボルトで前記芯金に取り付けることで、前記ばねを前記芯金に対して交換可能とすることができる。
【発明の効果】
【０００８】
このように、本発明によれば、簡素な構成で組立が容易なばね蝶番及びこの組立方法を得ることができ、ばね蝶番を有する眼鏡の組立コストをさらに削減することが可能である。
【発明を実施するための最良の形態】
【０００９】
以下、本発明の好適な一実施形態を、図面を参照しながら詳細に説明する。
図１は、本発明の一実施形態にかかり、ばね蝶番の分解斜視図、図２は、図１のばね蝶番の組立斜視図である。
【００１０】
ばね蝶番１は、智（ヨロイ）側に設けられた係合部２と、テンプルの内部に挿入される芯金５の先端に突設され、係合部２と枢軸３で回転自在に連結される連結部材５２と、係合部２と芯金５との間に介在し、ボルト６によって芯金５に取り付けられる板ばね４とから概略構成される。
係合部２は、智の一部を構成する基部２４に設けられ、連結部材５２が挿入できる間隔で対向して配置された一対の係合部材２１ａ，２１ｂとを有していて、一方の係合部材２１ａには、枢軸３の軸部が挿通できる貫通孔２２が形成され、他方の係合部材２１ｂには、枢軸３のねじ部と螺合するねじ孔２３が形成されている。また、係合部材２１ａ，２１ｂの外周面は、貫通孔２２及びねじ孔２３と同心の円弧状に形成されている。
【００１１】
板ばね４は、ばね性の高いニッケル−チタンやβチタン等のチタン合金で形成された板材を略Ｕ字状又は略Ｊ字状に折り曲げてなり、芯金５に取り付けられる取付部４１と、先端部分で係合部材２１ａ，２１ｂと常時接触し、テンプルを展開状態からさらに拡開させたときに弾発力を生じさせる弾発部４３と、取付部４１と弾発部４３とを一体的に連結する折り返し部４２とから構成されている。
取付部４１の途中部位の少なくとも一箇所には、他の部分より肉厚に形成された肉厚部分４１ｂが形成され、この肉厚部分４１ｂのほぼ中央に、ボルト６のねじ部が螺入される少なくとも一つのねじ孔４４が貫通形成されている。
【００１２】
また、取付部４１と弾発部４３の先端には、連結部材５２が挿通できる孔４１ａ，４３ａが貫通形成されている。少なくとも弾発部４３の孔４３ａは、連結部材５２を挿通させた状態で自由に揺動できるように、連結部材５２の断面積に対して若干大きめに形成するとよい。
芯金５の連結部材５２の先端には、枢軸３が挿通できる貫通孔５２ａが形成され、テンプル内に挿入される芯金５の本体部分５１には、ボルト６の軸部が挿通できる貫通孔５１ａが形成されている。
【００１３】
上記構成のばね蝶番１は、以下の手順で組み立てることができる。なお、図１中の符号(i)〜(iv)は、この実施形態における組立の順序を示したものである。
まず、孔４１ａ及び孔４３ａに連結部材５２を挿通させて、芯金５の本体部分５１の上に板ばね４を載置する（符号(i)）。次いで、芯金５の貫通孔５１ａを挿通させてボルト６を取付部４１のねじ孔４４に螺入し、ボルト６を締め付けて板ばね４を芯金５に固定する（符号(ii)）。
【００１４】
この後、係合部材２１ａ，２１ｂを弾発部４３の先端に押し当て、弾発部４３を芯金５側に押圧して板ばね４を弾性変形させ、連結部材５２の先端を弾発部４３の孔４３ａから突出させるとともに、係合部材２１ａ，２１ｂの間に位置させる（符号(iii)）。
そして、係合部材２１ａ，２１ｂの貫通孔２２及びねじ孔２３と連結部材５２の貫通孔５２ａとの位置を合わせ、枢軸３を螺入して締め付ける（符号(iv)）。これにより、係合部２と連結部材５２とが回動自在に連結される。
以上でばね蝶番１の組立が完了する。この後、芯金５をテンプル７に挿入し、又は芯金５の外側にテンプル７を取り付けることで、図２に示すようなばね蝶番１を備えた眼鏡が完成する。
【００１５】
次に、上記構成のばね蝶番１の作用を、図３を参照しながら説明する。
なお、図３（ａ）は、テンプルを折り畳んだ状態から所定の展開状態まで回動させるまでの様子を示し、図３（ｂ）は、所定の展開状態からさらにテンプルを拡開させる様子を示している。
板ばね４の弾発部４３は、係合部２の外周面に常時押し当てられているが、係合部２の外周面は、枢軸３と同心の円弧状に形成されているため、テンプル７を、折り畳んだ状態（図３（ａ）のＩの状態）から所定の展開状態（図３（ａ）のIIの状態）まで移行させる間は、板ばね４は弾性変形することがなく、テンプル７には板ばね４の弾発力は作用しない。
【００１６】
テンプル７を所定の展開状態（図のIIの状態）からさらに拡開させ、図３（ｂ）のIIIの状態にすると、弾発部４３の先端が係合部２の前記円弧状の外周面から離脱し、係合部２よりリム９側に位置する智８の基部２４に当接する。これにより、板ばね４の回動動作が制限されて板ばね４が弾性変形する。そして、この弾性変形４により、テンプル７に拡開方向とは逆の方向に弾発力が作用する。
このように、ばね蝶番１は、テンプル７を所定の展開状態（図３のＩの状態）からさらに外方向に拡開させる際に適度の弾発力を作用させることで、眼鏡の掛け外しをスムースにするとともに、テンプルのフィット感を良好にしている。
【００１７】
本発明の好適な実施形態について説明したが、本発明は上記の実施形態により何ら限定されるものではない。
例えば、上記の説明では、板ばね４の材質として、ニッケル−チタン合金を例に挙げて説明したが、ステンレスやばね鋼等の他の金属材料でもよく、また、適度なばね性を有するものであれば、樹脂材料を用いることもできる。さらに、ばねの形態は板状でなくてもよく、ばね性を有する線材を折り曲げ形成したものであってもよい。
【００１８】
また、上記の説明では、連結部材５２を挿通させるために、板ばね４に孔４１ａ，４３ａを貫通形成するものとして説明したが、貫通孔の代わりに切欠や溝を形成するものとしてもよい。
さらに、上記の説明ではボルト６により板ばね４を芯金５に交換可能に取り付けているが、他の手段、例えばロウ付け等により板ばね４を芯金５に取り付けるようにしてもよい。
【産業上の利用可能性】
【００１９】
本発明は、ばね蝶番を組み付けることのできるあらゆる種類の眼鏡に適用が可能で、また、フルリム、ボストン型、リムレス等あらゆる形態のものにも適用が可能である。
【図面の簡単な説明】
【００２０】
【図１】本発明の一実施形態にかかり、ばね蝶番の分解斜視図である。
【図２】図１のばね蝶番の組立斜視図である。
【図３】この実施形態におけるばね蝶番の作用を説明する図で、図３（ａ）は、テンプルを折り畳んだ状態から所定の展開状態まで回動させるまでの様子を示し、図３（ｂ）は、所定の展開状態からさらにテンプルを拡開させる様子を示している。
【符号の説明】
【００２１】
１  ばね蝶番
２  係合部
２１ａ，２１ｂ  係合部材
２２  貫通孔
２３  ねじ孔
２４  基部（当接部）
３  枢軸
４  板ばね
４１  取付部
４１ａ  孔（貫通孔）
４２  折り返し部
４３  弾発部
４４  ねじ孔
４３ａ  孔（貫通孔）
５  芯金
５１  本体部分
５２  連結部材
５２ａ  貫通孔
６  ボルト（取付手段）
７  テンプル
８  智
９  リム
【図１】
2005257785.tif 000003
【図２】
2005257785.tif 000004
【図３】
2005257785.tif 000005